(57)【特許請求の範囲】
【請求項１】
外周面に螺糸山が形成されるねじ部と、前記ねじ部の先端に位置し、前記ねじ部より軸径が大きく形成されたヘッドとで構成されるボルトにおいて、
前記ねじ部は螺糸山が形成されるねじ部を有する第１部材と、
前記第１部材の後端に延長して形成され、前記第１部材より外径が小さく、外周面に螺糸山が形成されるねじ部を有する第２部材と、
前記第２部材に収容されるコイルスプリングと、を含み、
前記第２部材の後端部にコイルスプリング収容溝を形成し、前記コイルスプリングの後端部に所定の長さが内側に折曲された固定部を形成し、
前記第２部材のコイルスプリング収容溝に前記コイルスプリングの固定部が固定され、前記コイルスプリングの螺旋状に巻回された部分は、前記第２部材の螺糸山の間のねじの溝に挿設され、
前記コイルスプリングは外径が第１部材の螺糸山の外径と同じであり、
前記コイルスプリングの先端部に針状の突出針をさらに含み、前記突出針は前記コイルスプリングの先端部から延長されて所定長さ外部に突出されて形成されることを特徴とする緩み防止ボルト。
【請求項２】
コイルスプリングは断面が螺糸山の角度と対応する楕円形または角形に形成されるスプリングで構成されることを特徴とする請求項１に記載の緩み防止ボルト。
【請求項３】
コイルスプリングは外径の大きさが第１部材と同一に構成され、内径の大きさが第２部材と同一に構成され、コイルスプリングの先端部が第１部材の螺糸山の後端部と互いに対応することを特徴とする請求項１に記載の緩み防止ボルト。
【請求項４】
コイルスプリングは固定部の後端部に延長して形成され、コイルスプリングの垂直方向に環形または半円形リングをさらに含むことを特徴とする請求項１に記載の緩み防止ボルト。
【請求項５】
コイルスプリングは折曲された固定部より先端部側に形成されるノッチをさらに含むことを特徴とする請求項１〜４の中の何れか一項に記載の緩み防止ボルト。
【発明の詳細な説明】
【技術分野】
【０００１】
本発明はボルト及びスプリングに結合される緩み防止ボルトに関するもので、より詳しくは、持続的に長時間または瞬間的な振動や回転体によって任意にボルトが緩むことが防止され、壁面への固定及びナット結合が可能であり、周期的な揺動現象が防止され、繰り返して使用可能な緩み防止ボルトに関するものである。
【背景技術】
【０００２】
一般に、ボルトはナットとともに二つの構造体を結合させるか、構造体自体に形成された螺糸山からなる締結孔に他の結合体を貫通して締結する締結具として用いられる。上述したようなボルトは締結用としてシングルナットのみで製品を固定する場合が大部分であり、確実な固定が必要な所には二つのナットを用いるダブルナットまたは緩み防止用ナットを用いるようになる。
【０００３】
上述したように、現在用いられる緩み防止用ナットは、Ｕナット、ナイロンナット、テフロンナット、スプリングワッシャーナット、ティロックナット、ノルトロックナット、イアルエム（ＥＲＭ）ナット、ダブルナット、オティナット、ハードロックナット、ハイファナットなどで、様々な用途と使用方法によって多様に適用して使われて来た。
【０００４】
上述したように先行技術を説明すれば、韓国登録特許公報１０−０７０１７８２号（緩み防止ナット、登録日：２００７．３．２４）はボルトの緩みを防止することができるようにナットの内周面に装着されるコイルスプリングによって緩みを防止することができる緩み防止ナットが開示されている。
【０００５】
上述のように、ボルトを収容する緩み防止ナットを利用した技術が開示されているが、ナットを必要としない構造体の母材自体に形成された締結孔にボルトを締結する形態の所には振動、衝撃などによって締結当時の締付状態を保持することができず、ボルトのすべり現象が発生されて緩みが進行する。
【０００６】
特に、ボルト本体にスプリングを結着するタップを収容し、そのタップにコイルスプリングを収容してコイルスプリングの締付力を利用して緩みを防止するボルトが先行されてきた。
【０００７】
上述したような先行技術を説明すれば、韓国公開特許公報第１０−２００３−００００４０９号（緩み防止用ボルト装置、公開日：２００３．０１．０６）は被締結体に締結されたボルト／ナットの緩みを防止する緩み防止用ボルト装置が開示されている。
【０００８】
しかしながら、従来の振動が持続的に発生する鉄道の主要部分、橋梁の連結部分、風による搖れが多い鉄塔、搖れの多い遊園地の乗り物等の命に最も敏感な所では緩み防止用ボルトの大切さは絶対的である。しかし、その緩みが任意に解除されて安全事故がたびたび発生するという問題点があり、また、メンテナンスや点検のために、必要な場合にはナットを緩めてから再び締めなければならないため、使用及び作業が困難であるという問題点があった。
【発明の概要】
【発明が解決しようとする課題】
【０００９】
従って、本発明は上記のような従来の問題点を解決するために案出されたもので、使用様態、振動の大きさ、衝撃に関わらず多様な条件で締結の緩みが任意に解除されることが防止され、ボルト部材が変形されながら結合されるのではないので、作業者が既存のナットを利用して単純な組み立てだけで緩みを防止することができ、重要な取替えに締結の解体が可能であるので、ナットの再使用が可能であり、繰り返し的に用いることができ、また、ナットがなく締結孔のみで構成された構造体にもボルトだけ用いて緩みを防止することができる緩み防止ボルトを提供することをその目的とする。
【００１０】
また、ナットを利用した締結方式においても締結の本体であるボルト自体の緩み防止を通じてナットを利用した構造体または装置設備の締結力を堅固に保持することができる緩み防止ボルトを提供することをその目的とする。
【課題を解決するための手段】
【００１１】
従って、上述した目的を達するために、本発明による緩み防止ボルトは、外周面に螺糸山が形成されるねじ部と、上記ねじ部の先端に位置し、上記ねじ部より軸径が大きく形成されたヘッドとで構成されるボルトにおいて、上記ねじ部は螺糸山が形成されるねじ部を有する第１部材と、上記第１部材の後端に延長して形成され、上記第１部材より外径が小さく、外周面に螺糸山が形成されるねじ部を有する第２部材と、上記第２部材に収容されるコイルスプリングと、を含み、上記第２部材の後端部にコイルスプリング収容溝を形成し、上記コイルスプリングの一端に所定の長さが内側に折曲された固定部を形成し、上記第２部材のスプリング収容溝にスプリングの固定部が固定され、上記第２部材の螺糸山の間のねじの溝に挿設されてなることを特徴とする。
【００１２】
また、コイルスプリングは断面が螺糸山の角度と対応する楕円形または角形に形成されるスプリングで構成されることを特徴とする。
【００１３】
また、コイルスプリングは外径が第１部材の螺糸山の外径と同じであり、コイルスプリングの先端部に針状の突出針をさらに含み、上記突出針は上記コイルスプリングの先端部から延長されて所定長さ外部に突出して形成されることを特徴とする。
【００１４】
また、コイルスプリングは外径の大きさが第１部材と同一に構成され、内径の大きさが第２部材と同一に構成され、コイルスプリングの先端部が第１部材の螺糸山の末端部と互いに対応することを特徴とする。
【００１５】
また、コイルスプリングは固定部の末端部または一側部に延長して形成され、コイルスプリングの垂直方向に環形または半円形リングをさらに含むことを特徴とする。
【００１６】
また、コイルスプリングは折曲された固定部の前方上に形成されるノッチをさらに含むことを特徴とする。
【発明の効果】
【００１７】
前述したように、本発明による緩み防止ボルトによれば、使用様態、振動の大きさ、衝撃にかかわらず多様な条件で締結の緩みが任意に解除されることが防止され、ボルト部材が変形されながら結合されるのではないので、作業者が既存のナットを利用して単純な組み立てだけで緩みを防止することができ、重要な取り替えに締結の解体ができるので、ナットの再利用が可能であり、繰り返し的に利用することができ、ナットがなく、締結孔のみからなる所にもボルトのみ用いて緩みを防止することができるという効果を奏する。
【００１８】
また、単純なボルトの装着で一般的なナット及び締結孔に緩み防止用ボルトを用いることによって、使用用途が制限的でなく、多様な面で緩み防止効果を得ることができて、安全性及び経済性を取り揃えることができ、また、再利用が可能であるので、メンテナンスに有利である。
【００１９】
また、簡便な構造からなっているので、作業者が特殊な道具を用いなくてもあらゆる所で普段使っている道具を利用して使用が簡単であるので、作業効率を上昇させることができ、振動にも耐えることができるボルトでその安全性及び締結力を上昇させることができるという利点がある。
【図面の簡単な説明】
【００２０】
【図１】一般的なボルトの構造を簡略に示した図面である。
【図２】本発明の好ましい実施例による緩み防止ボルトの全体斜視図である
【図３】図２の分離斜視図である。
【図４】図２の断面図である。
【図５】本発明の好ましい実施例による緩み防止ボルトのコイルスプリング斜視図である。
【図６】図５の使用例示図である。
【図７】図５の他の実施例による緩み防止ボルトのコイルスプリング斜視図である。
【図８】図６の使用例示図である。
【図９】本発明の他の実施例による緩み防止ボルトのコイルスプリングの斜視図である。
【発明を実施するための形態】
【００２１】
以下、添付される図面と結合して上記目的を達するための本発明の好ましい構成と作用について説明すれば次の通りである。
【００２２】
図１は一般的なボルトの構造を簡略に示した図面である。通常用いられるボルトは外周面に螺糸山１ａが形成されるねじ部１と、上記ねじ部１の先端に位置し、上記ねじ部１より軸径が大きく形成されたヘッド２とで構成されて、ナットとともに二つの構造体を結合させるか、構造体自体に形成された螺糸山からなる締結孔に他の結合体を貫通して締結する締結具として用いられる。
【００２３】
図２は本発明の好ましい実施例による緩み防止ボルトの全体斜視図であり、図３は図２の分離斜視図であり、図４は図２の断面図を示す。添付図に示すように、本発明による緩み防止ボルト１００は上記ねじ部１が螺糸山１０ａが形成される第１部材１０と、上記第１部材１０の後端に延長して形成され、上記第１部材１０より外径が小さく、外周面に螺糸山２０ａが形成される第２部材２０と、上記第２部材２０に収容されるコイルスプリング３０とを含む。
【００２４】
この時、上記第２部材２０の後端部にコイルスプリング収容溝２１を形成し、上記コイルスプリング３０の一端に所定の長さが内側に折曲された固定部３１を形成し、上記第２部材２０のスプリング収容溝２１にコイルスプリング３０の固定部３１が固定され、上記第２部材２０の螺糸山２０ａの間のねじの溝に挿設されて結合される。
【００２５】
この時、上記第２部材２０の後端部にコイルスプリング収容溝２１を形成することにより、コイルスプリング３０の固定部３１と結合してコイルスプリング３０の回転を防止する役割を果たす。
【００２６】
一方、上記コイルスプリング３０は断面が第２部材２０の螺糸山２０ａの角度と対応する楕円形または角形で形成されることができる。この時、楕円形は横軸の長い楕円形が螺糸山と対応するようにすることが好ましい。また、角形に形成してナットまたは構造体の結合孔とより密着されることができるようにする角形に形成されるコイルスプリングが好ましい。
【００２７】
図５は本発明の実施例による緩み防止ボルトのコイルスプリング斜視図であり、図６は図５の使用例示図を示す図である。
【００２８】
本発明による緩み防止ボルトのコイルスプリング３０は外径が第１部材１０の螺糸山１０ａの外径と同じく、コイルスプリング３０の先端部に針状の突出針３０ａを形成するようにする。
【００２９】
この時、上記突出針３０ａはコイルスプリング３０の先端部から延長されて所定長さに放物線形を描きながら外部に突出して形成され、第１部材１０の外径より大きい外径を有することが好ましい。一方、突出針３０ａの末端部は外部に所定角度で折曲されて外部に向けるようにすることができる。この時、突出針３０ａの末端部は第１部材１０の螺糸山１０ａの先端部と同一線上に位置して対応するように形成し、ナットまたは構造体の母材に形成された結合孔の螺糸山の角度を外れないようにすることが好ましい。
【００３０】
このような突出針３０ａを利用することにより、ナットまたは構造体の締結孔に結合する際に、弾性を利用して突出針３０ａが第２部材２０のねじの溝に対応されることで正常な結合が可能であり、また、コイルスプリング３０の可塑性によって外径が変化され、それによる摩擦力と突出針３０ａの係止によって本発明による緩み防止ボルト１００は結合の緩みが防止される効果を奏する。
【００３１】
図７は図５の他の実施例による緩み防止ボルトのコイルスプリング斜視図であり、図８は図７の使用例示図を示した図である。コイルスプリング３０は固定部３１の末端部または一側部に延長して形成され、コイルスプリング３０の垂直方向に掛金３２が形成されることができる。この時、上記掛金３２は環形または半輪形を有することにより、使用者の指または道具を利用することができるように構成されることが好ましい。
【００３２】
上記のような掛金３２を引っ張ればコイルスプリング３０の弾性によってスプリング収容溝２１から固定部３１が脱落され、この時、ねじの反対方向に回せばコイルスプリング３０が螺糸山から離脱されて使用者によって結合の解除が可能になる。その後、コイルスプリング３０を逆順に結合させて用いることにより再利用が可能になるという利点がある。
【００３３】
図９は本発明の他の実施例による緩み防止ボルトのコイルスプリングの斜視図を示す。コイルスプリング３０は折曲された固定部３１の前方上に形成されるノッチ３３をさらに含むことができる。
【００３４】
上記のように、本発明による緩み防止ボルト１００は必要によって締結を解除してメンテナンスを可能にする必要がある。即ち、コイルスプリング３０の固定部３１はスプリング収容溝２１に固定されていて、第２部材２０に挿設されたコイルスプリング３０はヘッド２の回転と一緒に回転し、螺糸山の反対方向への回転にも関与して螺糸山を反対方向に緩める時、コイルスプリング３０の突出針３０ａによって緩みが防止されることによって解除が不可能になる。従って、メンテナンスを可能にするために、コイルスプリング３０の弾性限界を超える力でヘッド２を回転すれば荷重の伝達が不十分で、自ずから第２部材２０に形成されたノッチ３３に力を受けるようになってノッチ３３部分が先に破損されるため、コイルスプリング３０を支持する求心点を失うようになる。そこで、コイルスプリング３０は第２部材２０から離脱して別途に動くことが可能になって緩み防止ボルト１００の締結解除が可能になるように構成される。
【００３５】
以上、本発明は提示された実施例を参照して詳しく説明されたが、当該分野において通常の知識を有する者であれば提示された実施例を参照して本発明の技術的思想を逸脱しない範囲で多様な変形及び修正をすることができる。本発明はこのような変形及び修正発明によって制限されなく、特許請求範囲によって制限される。
【産業上の利用可能性】
【００３６】
本発明に係わるボルト及びナットは産業現場で広く使われている要素部品であり、多様な産業環境でボルト及びナットの締結が緩む問題点があった。従って、本発明は持続的に長時間または瞬間的な振動や回転体によって任意にボルトが緩むことが防止され、壁面固定及びナット結合が可能であり、周期的な振動現象が防止され、繰り返し的に使用可能な緩み防止ボルトは産業上で広く利用可能である。
【図１】
0006661632.tif 000002
【図２】
0006661632.tif 000003
【図３】
0006661632.tif 000004
【図４】
0006661632.tif 000005
【図５】
0006661632.tif 000006
【図６】
0006661632.tif 000007
【図７】
0006661632.tif 000008
【図８】
0006661632.tif 000009
【図９】
0006661632.tif 000010